(57)【要約】      （修正有）【課題】水道設備のない屋外においても、注水しながら刃物を研磨することが可能な移動式研磨装置を提供する。【解決手段】貯水容器と、貯水容器の上端部に回転可能に取り付けられた砥石台と、砥石台の回転を妨げないように貯水容器にその一方の端部を固定した振動板と、振動板の他方の端部に固定した洗い水容器の取付台と、砥石台と取付台又は振動板の他方の端部とを連結する連結部材とからなる。【選択図】図１
0003139007.tif 000002
【実用新案登録請求の範囲】
【請求項１】
貯水容器と、該貯水容器の上端部に回転可能に取り付けられた砥石台と、前記砥石台の回転を妨げないように前記貯水容器にその一方の端部を固定した振動板と、該振動板の他方の端部に固定した洗い水容器の取付台と、前記砥石台と前記取付台又は前記振動板の他方の端部とを連結する連結部材と、からなることを特徴とする移動式研磨装置。
【請求項２】
前記貯水容器の上部と前記砥石台との間に、前記砥石台の最下点を定める制限板を配置したことを特徴とする請求項１に記載の移動式研磨装置。
【請求項３】
前記連結部材の長さを変更可能としたことを特徴とする請求項１又は２に記載の移動式研磨装置。
【考案の詳細な説明】
【技術分野】
【０００１】  本考案は、移動式刃物研磨装置に係り、特に、水道設備のない屋外においても、注水しながら刃物を研磨することが可能な移動式刃物研磨装置に関する。
【背景技術】
【０００２】  包丁等の刃物の研磨は、注水しながら研磨するのが好ましく、そのため、流し台等に砥石を設置し、水道水を流しながら刃物を研ぐのが一般的である。その一方、水道水設備のない屋外では、例えば、特に、農作業では鎌や包丁を繰り返し研磨する必要があるが、注水しながら研磨することは実際上不可能であった。
【考案の開示】
【考案が解決しようとする課題】
【０００３】  以上の状況に鑑み、本考案は、水道設備のない屋外においても、注水しながら刃物を研磨することが可能な研磨装置を提供することを目的とする。
【課題を解決するための手段】
【０００４】  本考案の移動式研磨装置は、貯水容器と、該貯水容器の上端部に回転可能に取り付けられた砥石台と、前記砥石台の回転を妨げないように前記貯水容器にその一方の端部を固定した振動板と、該振動板の他方の端部に固定した洗い水容器の取付台と、前記砥石台と前記取付台又は前記振動板の他方の端部とを連結する連結部材と、からなることを特徴とする。【０００５】  かかる構成とすることにより、刃物を砥石に押しつけ前後に動かして研磨を始めると、刃物の前後運動に対応して、砥石台、連結部材及び振動板に固定された洗い水容器の取付台が上下に振動し、洗い水が容器の開口部から吐出して砥石上に注水される。このようにして、水道設備のない屋外であっても、連続的に注水しながら刃物の研磨を行うことが可能となる。【０００６】  さらには、前記貯水容器の上部と前記砥石台との間に、前記砥石台の最下点を定める制限板を配置するのが好ましい。
砥石台制限板を配置することにより、さらにはその位置により、砥石台の上下運動の下端位置が定められて、水の吐出量を決めることができる。すなわち、砥石台の回転軸と砥石台制限板との距離を変えることにより、洗い水の注水量を調整することができる。同様に、前記連結部材の長さを調節することにより、注水量を制御することも可能である。
【考案を実施するための最良の形態】
【０００７】  本考案の移動式研磨装置について、図を参照して説明する。
図１は、本考案の一例を示す概略斜視図であり、図２は、図１の装置に洗い水容器１３及び砥石１２を取り付けた研磨装置を示す概略側面図である。
図に示すように、本実施例の研磨装置においては、貯水容器１の上端部に、砥石１２を収納する砥石台２の一端が、蝶番４により回転可能に取り付けられている。また、容器の上部に配置され、砥石台２の下方向の動きを制限する制限７が、図２の矢印方向に移動可能に配置されている。制限板７は、ボルト１０により貯水容器１の所定の位置で固定される。【０００８】  本実施例では、貯水容器１の上部で、蝶番４とは反対側には、部分的に天板１６が設けられ、この上に、半円形の振動板３を固定するための固定部材８が取り付けられている。例えば、固定部材８と天板１６との間のすき間に振動板３の一端部を挿入し、ボルト９により押さえつけて固定する。振動板３の他端部には、洗い水容器１３の取付台６が例えばボルトナット等の留め具により固定されている。さらに、砥石台２と取付台６は、連結部材５により連結され、砥石台２の運動と洗い水容器１３の運動を関連づけている。【０００９】  洗い水容器１３としては、例えば、市販の２リットル用のペットボトルを用い、注ぎ口の口径は、静止状態では水が漏れないように、適切な大きさとする。例えば、ペットボトルの注ぎ口をコルクやゴム栓１４で塞ぎ、例えば内径５ｍｍのパイプ１５でコルク栓等を貫通させるようにすればよい。【００１０】  振動板３は、例えば、厚さ２．３ｍｍ、半径５０ｍｍの焼き入れしたＳ５５鋼材が好適に用いられるが、洗い水容器内の水が満水状態から空になるまで、適宜に振動して安定して注水できるものであれば、どのような材質、形状のものでも良い。例えば、コイル状のバネであっても良い。
連結部材５は、砥石台２と取付台６とを取り外し可能に連結する部材であって、例えば、長さ調節可能なタンパックル等が好適に用いられる。本実施例では、タンパックルのフックを取付台６のリング１１に引っかけて接続している。
このようにして、例えば２３５×１０５×８０ｍｍの砥石を用いた場合、砥石台と容器上端部との間隔は例えば４ｍｍ程度であり、砥石台制限板の厚さは３ｍｍ程度である。【００１１】  次に、本実施例の移動式研磨装置の使用方法を説明する。
図３に示すように、水をためた貯水容器に砥石台２を降ろして、砥石１２を水に浸し、所定時間砥石に水を含まさせる。所定時間経過後、砥石台２を持ち上げて、砥石台と貯水容器との間に砥石台制限板７を挿入し、さらに連結部材（例えば、タンパックル）５を洗い水容器の取付台６に連結する。【００１２】  続いて、洗い水容器１３を取付台６に取付けて、刃物の研磨を開始する。刃物を砥石１２に押しつけながら前後させると、砥石台２が蝶番４の周りに回転してその先端部が上下に振動する。この振動が洗い水容器内の洗い水に伝わり、洗い水が先端から吐出されることから、注水しながら研磨を行うことが可能となる。なお、砥石台制限板７の位置によって、振動の振幅が代わり、注水量も変化させることができ、好適な注水量となる位置で砥石台制限板を例えばボルト１０で固定する。【００１３】  以上の実施例では、振動板３を天板１６と固定部材８との間に挿入し、ボルトで振動板を押しつけて固定する構成としたが、これに限らずどのような固定方法を用いても良く、又固定位置も天板部に限らず、例えば貯水容器の側壁であっても良い。
また、振動板と洗い水容器の取付台との固定は、ボルト・ナット等に限らず、例えば溶接により固定しても良いが、分解可能な留め具を用いるのが好ましく、このように構成すると、全ての部品を貯水容器内に収納でき、持ち運び便利なコンパクト研磨装置とすることができる。
【図面の簡単な説明】
【００１４】
【図１】本考案の一例を示す概略斜視図である。
【図２】本考案の一例を示す概略側面図である。
【図３】研磨前に砥石を水に浸漬する状態を示す概略図である。
【符号の説明】
【００１５】１  貯水容器、
２  砥石台、
３  振動板、
４  蝶番、
５  連結部材、
６  洗い水容器取付台、
７  砥石台制限板、
８  固定部材、
９，１０  ボルト、
１１  リング、
１２  砥石、
１３  洗い水容器、
１４  栓、
１５  パイプ、
１６  天板。
【図１】
0003139007.tif 000003
【図２】
0003139007.tif 000004
【図３】
0003139007.tif 000005